(57)【要約】【課題】  薄型にして加工工程が少なくコストを低く抑えることができて、画面全体の照明の明るさが均一な液晶表示装置を得る。【解決手段】  上電極を有する液晶上基板と下電極を有する液晶下基板とを前記上電極と下電極とを間隙を設けて対向させて液晶セル部を構成し前記上電極と下電極とにより画素を構成すると共に前記液晶セル部に液晶を封止して表示面を構成する液晶パネルと、該液晶パネルを照明するためのバックライトユニットとを有する液晶表示装置において、前記液晶と前記バックライトユニットとの間に該バックライトユニットから照射される光を調整して前記表示面の照度を均一にするための開口面積が異なる複数の開口部を有する半透明の反射膜を設ける。【選択図】        図２
2005091532.tif 000002
【特許請求の範囲】
【請求項１】
電極を有する２枚の基板を電極を対向させて間隙を設け配設し前記間隙に液晶を封止した液晶パネル有しさらに線状または点状の光源を有するバックライトユニットを前記液晶パネルの下方に配設した液晶表示装置において、
前記液晶とバックライトユニットの間に複数の透光孔を有する反射膜が設けられており、前記透光孔の大きさを変化させ表示面の輝度ムラを解消することを特徴とする液晶表示装置。
【請求項２】
前記透光孔の大きさの変化が、前記光源に近い前記透光孔の大きさが前記光源から遠い前記透光孔より小さくなることを特徴とする請求項１に記載の液晶表示装置。
【請求項３】
前記透光孔の大きさの変化が、前記光源に近い側から遠い側に向けて徐々に前記透光孔を大きくすることを特徴とする請求項２に記載の液晶表示装置。
【請求項４】
少なくとも対向する前記電極とその間の前記液晶で画素を形成し、前記透光孔が前記画素の一部に設けられる事を特徴とする請求項１または２または３に記載の液晶表示装置。
【請求項５】
前記透光孔は、前記画素の面積の２５％から５０％の面積を有することを特徴とする請求項４に記載の液晶表示装置。
【請求項６】
上電極を有する液晶上基板と下電極を有する液晶下基板とを前記上電極と下電極とを間隙を設けて対向させて液晶セル部を構成し前記上電極と下電極とにより画素を構成すると共に前記液晶セル部に液晶を封止して表示面を構成する液晶パネルと、該液晶パネルを照明するためのバックライトユニットとを有する液晶表示装置において、前記液晶と前記バックライトユニットとの間に該バックライトユニットから照射される光を調整して前記表示面の照度を均一にするための開口面積が異なる複数の開口部を有する半透明の反射膜を設けたことを特徴とする液晶表示装置。
【請求項７】
前記開口部は、前記バックライトユニットから照射される光の照度が大きい部分は小さな面積を有し、照度が小さい部分は大きな面積を有するように配設されていることを特徴とする請求項６記載の液晶表示装置。
【請求項８】
前記開口部は、小さな面積から大きな面積までを徐々に変化させていることを特徴とする請求項７記載の液晶表示装置。
【請求項９】
前記開口部は、小さな面積から大きな面積までを数個のグループに分けてグループ毎に段階的に変化させていることを特徴とする請求項７記載の液晶表示装置。
【請求項１０】
前記開口部は、前記画素の領域内に設けられていることを特徴とする請求項６記載の液晶表示装置。
【請求項１１】
前記開口部は、前記画素の面積の２５％から５０％の面積を有することを特徴とする請求項９記載の液晶表示装置。
【発明の詳細な説明】
【技術分野】
【０００１】
本発明は、液晶表示装置の構成に関し、特に、液晶パネルと該液晶パネルを照明するバックライトユニットとを有する液晶表示装置の構造に関する。
【背景技術】
【０００２】
従来における液晶パネルと該液晶パネルを照明するバックライトユニットとなる面照明装置を有する液晶表示装置において、面照明装置は、液晶パネルの表示面の全面を均一な照度で照明することができる面光源を持つことが望ましいが、装置が厚くなり高価になることから、装置を薄型にするためあるいはコストを低廉にするため、点光源あるいは線光源を採用することが多い。このような点状光源、例えばＬＥＤ（Ｌｉｇｈｔ  Ｅｍｉｔｔｉｎｇ  Ｄｉｏｄｅ）、あるいは線状光源、例えば蛍光管等を用いた面照明装置では、液晶パネルの表示面の全面を均一な照度で照明することが困難であり、照度が高い部分と低い部分が生じる。このような表示面の照度むらをなくするために、バックライトユニットの導光部材の放射面の対向面に島状の反射膜を備え、照度が大きい位置では島の面積を小さくし、照度が小さい位置では島の面積を大きくして表示面の照度を均一にしようとしているものがある。また、明るい環境においては省電力のために面照明装置の照明を用いずに外光照明を用いるように反射膜を有する面照明装置を採用しているものがある。
【０００３】
図１５、および図１６を用いて従来例１について説明する。図１５は、従来例１の面照明装置を示す主要断面図、図１６は、図１５における光拡散層５０７を示す平面図であり、（ａ）は第１の応用例、（ｂ）は第２の応用例である。従来例１は、液晶表示装置の液晶パネルの背面に配設する面照明装置であり、導光板の裏面に当接する反射板が光源から離れるに従って単位当たりの反射塗料塗布面積が大きくなる反射面を有するものである。
【０００４】
側面から入射された光を伝播するための透明な導光板５０１と、導光板５０１の上面の光出射面５１１に当接する拡散板５０２と、導光板５０１の下面の光拡散面５１２に当接する光拡散層５０７と、更に、光拡散層５０７の下面に当接する反射板５０６と、導光板５０１の対向する両側面に近接して配設された一対の、例えば蛍光ランプ等の直管状光源５０３ａ、５０３ｂとで構成されている。光拡散面５１２は、白色塗料を塗布している部分と塗布していない部分とにより構成されている。
【０００５】
第１の応用例の光拡散層５０７は、図１６（ａ）に示すように一定のピッチＰで線状の白色塗料を縞模様５７１状に塗布され、第２の応用例の光拡散層５０７は、図１６（ｂ）に示すように四角のドット５７２を一定のピッチで塗布されている。縞模様５７１の線幅、および四角のドット５７２の大きさは、両側の光源５０３ａ、５０３ｂから離れて中央部５１２ａへ近付くほど大きくして、単位面積当たりの塗布面積（塗布面積率）の分布が導光板の中央部でなだらかな極大値をもち、中心に対して対称になるように形成されている。
【０００６】
このようにして、直管状光源５０３ａ、５０３ｂから近く、光路が短い部分の光拡散層５０７は反射面積が小さく形成され、直管状光源５０３ａ、５０３ｂから遠く、光路が長い部分の光拡散層５０７は反射面積が大きく形成されているので、拡散板５０２のすべての箇所において同じ照度の光を発射することができる面照明装置を得ることができる。
【０００７】
図１７、および図１８を用いて従来例２について説明する。図１７は、従来例２の内部光源を用いた際の光の進行状態を示す説明図、図１８は、外部光源を用いた際の光の進行状態を示す説明図である。従来例２は、半透過性フィルムと反射膜とを有することにより
、外部の光を用いると共に内蔵光源の光を用いることができる面照明装置である。
【０００８】
透明材料により形成されている導光板６０４の上面には半透過性フィルム６０１が固着されており、導光板６０４の下面は粗面化処理を施された反射面６０４ａが形成されている。更に、導光板６０４の下面には反射シート６０５が固着されている。半透過性フィルム６０１は、ポリエステル等のベースからなる照射層６０２とアルミニウム等の金属蒸着処理の後にエッチング等の処理を施して光の透過する微小孔あるいは細溝の蒸着層６０３とにより構成されている。導光板６０４の一方の側端には、光源６０６が近接して配設されている。
【０００９】
図１７を用いて光源６０６によって照明する場合における光の進行状態について説明する。光源６０６から発せられた光は導光板６０４の内部を進むが、進行角度によっては半透過性フィルム６０１の蒸着層６０３により反射されて導光板６０４の内部を更に遠方へと進行し、導光板６０４の反射面６０４ａに設けられた凸部の斜面により更に反射して、その角度に応じて半透過性フィルム６０１の蒸着層の微小孔あるいは細溝を透過して照射層６０２から外部へ放射される。
【００１０】
図１８を用いて外部光によって照明する場合における光の進行状態について説明する。外部から光を受けた場合、図１８の矢印線で示した外部光の一部は半透過性フィルム６０１の表面あるいは蒸着層６０３によって反射される。その他の光は蒸着層６０３の微小孔あるいは細溝を透過して導光板６０４の内部へ入射した後、反射面６０４ａ、反射シート６０５により反射されて半透過性フィルム６０１を通して外部へ放射される。
【００１１】
このようにして、光源６０６から発せられた光は導光板６０４の内部を進行し、導光板６０４の反射面６０４ａに反射して、半透過性フィルム６０１の蒸着層の微小孔あるいは細溝を透過して照射層６０２から外部へ放射されると共に、外部から光を受けた場合、外部光の一部は半透過性フィルム６０１の表面あるいは蒸着層６０３によって反射されるが、その他の光は導光板６０４の内部へ入射して反射面６０４ａ、反射シート６０５により反射されて半透過性フィルム６０１を通して外部へ放射されるので、内蔵光源の光と外部光を用いて照明する面照明装置を得ることができる。
【特許文献１】特開平２−１５７７９１（従来例１）
【特許文献２】実開昭６２−１５８４２７（従来例２）
【発明の開示】
【発明が解決しようとする課題】
【００１２】
従来例１においては、光拡散面５１２の白色塗料を塗布している部分と塗布していない部分との比率を変えて、直管状光源５０３ａ、５０３ｂから近く、光路が短い部分の光拡散層５０７の反射面積を小さくし、直管状光源５０３ａ、５０３ｂから遠く、光路が長い部分の光拡散層５０７の反射面積を大きくすることにより、拡散板５０２のすべての箇所において同じ照度の光を発射することができる面照明装置を得るように工夫されている。然るに、白色塗料を塗布するので、塗装工程、および乾燥工程が必要となりコストが高くなる要因となっている。
【００１３】
一方、従来例２においては、光源６０６から発せられた光は導光板６０４の内部を進行し、導光板６０４の反射面６０４ａに反射して、半透過性フィルム６０１の蒸着層の微小孔あるいは細溝を透過して照射層６０２から外部へ放射されると共に、外部から光を受けた場合、外部光の一部は半透過性フィルム６０１の表面あるいは蒸着層６０３によって反射されるが、その他の光は導光板６０４の内部へ入射して反射面６０４ａ、反射シート６０５により反射されて半透過性フィルム６０１を通して外部へ放射されるようにして、内蔵光源の光と外部光を用いて照明する面照明装置を得るように工夫されている。然るに、
光放射面となる半透過性フィルム６０１の、光源６０６に近い部分は照度が高くなり、光源６０６から遠い部分は照度が低くなるという難点を有している。
【００１４】
また、従来例２において、更に、従来例１のように内蔵光源を点光源あるいは線光源によって、表示面全面を均一な照度で照明することができるようにするためには、導光部材の放射面に光が透過する微小孔あるいは細溝を持った蒸着層を形成し、且つ、導光部材の放射面の対向面に、照度が大きい位置では面積を小さくし、照度が小さい位置では面積を大きくした島状の反射膜を備えることによって達成することができる。然るに、このように、導光部材の放射面に光が透過する微小孔あるいは細溝を持った蒸着層を形成し、導光部材の放射面の対向面には島状の反射膜を形成することは加工工程を多くしコストが高くなってしまうという問題点があった。
【００１５】
本発明の目的は、薄型にして加工工程が少なくコストを低く抑えることができて、画面全体の照明が明るく明るさが均一な液晶表示装置を得ようとするものである。
【課題を解決するための手段】
【００１６】
上記目的を達成するために、本発明の第１の手段は、電極を有する２枚の基板を電極を対向させて間隙を設け配設し前記間隙に液晶を封止した液晶パネル有しさらに線状または点状の光源を有するバックライトユニットを前記液晶パネルの下方に配設した液晶表示装置において、前記液晶とバックライトユニットの間に複数の透光孔を有する反射膜が設けられており、前記透過光は表示面の輝度ムラを解消するように前記透光孔の大きさを変化させたことを特徴とする。
【００１７】
上記目的を達成するために、本発明の第２の手段は、本発明の第１の手段において前記透光孔の大きさの変化が、前記光源に近い前記透光孔の大きさが前記光源から遠い前記透光孔より小さくなることを特徴とする。
【００１８】
上記目的を達成するために、本発明の第３の手段は、本発明の第２の手段において前記透光孔の大きさの変化が、前記光源に近い側から遠い側に向けて徐々に前記透光孔を大きくすることを特徴とする。
【００１９】
上記目的を達成するために、本発明の第４の手段は、本発明の第１または第２または第３の手段において少なくとも対向する前記電極とその間の前記液晶で画素を形成し、前記透光孔が前記画素の一部に設けられる事を特徴とする。
【００２０】
上記目的を達成するために、本発明の第５の手段は、本発明の第４の手段において前記透光孔は、前記画素の面積の２５％から５０％の面積を有することを特徴とする。
【００２１】
また、上記目的を達成するために本発明は、上電極を有する液晶上基板と下電極を有する液晶下基板とを前記上電極と下電極とを間隙を設けて対向させて液晶セル部を構成し前記上電極と下電極とにより画素を構成すると共に前記液晶セル部に液晶を封止して表示面を構成する液晶パネルと、該液晶パネルを照明するためのバックライトユニットとを有する液晶表示装置において、前記液晶と前記バックライトユニットとの間に該バックライトユニットから照射される光を調整して前記表示面の照度を均一にするための開口面積が異なる複数の開口部を有する半透明の反射膜を設けたことを特徴とするものである。
【００２２】
さらに、前記開口部は、前記バックライトユニットから照射される光の照度が大きい部分は小さな面積を有し、照度が小さい部分は大きな面積を有するように配設されていることを特徴とするものである。
【００２３】
さらに、前記開口部は、小さな面積から大きな面積までを徐々に変化させていることを特徴とするものである。
【００２４】
さらに、前記開口部は、小さな面積から大きな面積までを数個のグループに分けてグループ毎に段階的に変化させていることを特徴とするものである。
【００２５】
さらに、前記開口部は、前記画素の領域内に設けられていることを特徴とするものである。
【００２６】
さらに、前記開口部は、前記画素の面積の２５％から５０％の面積を有することを特徴とするものである。
【発明の効果】
【００２７】
上述のように、本発明によれば、液晶とバックライトユニットとの間に、開口面積が異なる複数の開口部を形成した半透明の反射膜を設けたことにより、液晶パネルを外光照明を用いて照明することができると共に、液晶パネルの面照明装置として、内蔵光源として点光源あるいは線状光源を有するバックライトユニットを採用した場合においても、表示面全面を均一な照度で明るい照明をすることができる。従って、薄型にして加工工程が少なくコストを低く抑えることができると共に、画面全体の照明の明るさが均一な液晶表示装置を得ることができる。
【発明を実施するための最良の形態】
【００２８】
上電極を有する液晶上基板と下電極を有する液晶下基板とを前記上電極と下電極とを間隙を設けて対向させて液晶セル部を構成し前記上電極と下電極とにより画素を構成すると共に前記液晶セル部に液晶を封止（シール）して表示面を構成する液晶パネルと、該液晶パネルを照明するための点状あるいは線状の光源を備えたバックライトユニットとを有する液晶表示装置において、前記液晶と前記バックライトユニットとの間に該バックライトユニットから照射される光を調整して前記表示面の照度を均一にするために開口面積が異なる複数の開口部を有する半透明の反射膜を設ける。
【実施例１】
【００２９】
以下発明の実施の形態を実施例１について図面を参照して説明する。
図１は、本発明に係る実施例１における液晶表示装置を示す斜視図である。図２は、図１に示す液晶表示装置の液晶パネル１とバックライトユニット９とを離間させた状態を示す斜視図である。図３は、図２に示す液晶下基板２から液晶上基板４を取り外した状態を示す斜視図である。図４は、図１に示す断面ＡＡの状態を示す断面図である。図５は、図１に示す断面ＢＢの状態を示す断面図である。図６は、図４に示す矢視ａの状態を拡大して示す詳細断面図である。図７は、図５に示す矢視ｂの状態を拡大して示す詳細断面図である。図８は、図７に示す矢視ｃの状態を拡大して示す詳細断面図である。図９は、図３に示す矢視ＣＣの状態を示す平面図である。図１０は、図９に示す各矢視部を拡大してしめす部分詳細図で、（ａ）は矢視ｄと矢視ｆ、（ｂ）は矢視ｅ、（ｃ）は矢視ｇと矢視ｉ、（ｄ）は矢視ｈの状態を示す。図１１は、図１０（ａ）に示す矢視ｊの状態を拡大して示す部分詳細図である。図１２は、ＨＩＭ（Ｈｏｌｅ  ｉｎ  Ｍｉｒｒｏｒ：ホール・イン・ミラー）開口率と相対透過率（例：開口率５０％とした時の透光率を１００％とした透光率）との関係を示すグラフである。
【００３０】
図１、および図２を用いて、本発明に係る実施例１の液晶表示装置の概略の構成について説明する。図１、および図２に示すように、液晶表示装置は、液晶パネル１とその背面に配設されているバックライトユニット９とにより構成されている。液晶パネル１は、上面に表示面１ａをもっており、上面に下電極２ｅが形成されている液晶下基板２と、下面
に上電極４ｃが形成されている液晶上基板４とを前記上電極４ｃと前記下電極２ｅを対向させて双方の間にシール部材３によって、後述する液晶セル部５を形成するように接合している。バックライトユニット９は、ハウジング９ａの上面に照射窓部９ｂが設けられている。
【００３１】
図３を用いて、図１に示す液晶パネル１の概略の構成について説明する。上電極４ｄを有する液晶上基板４と、下電極２ｅを有する液晶下基板２とを前記上電極４ｄと前記下電極２ｅを対向させてシール部材３により接合して後述する液晶セル部５を構成している。ここで、上電極４ｄと下電極２ｅとが交わる領域が画素１ｂとなっている。液晶上基板４は、上基板ベース４ａの下面に表示面１ａを囲むブラックフレーム４ｃと、ブラックフレーム４ｃの内側にカラーフィルター４ｂが形成され、上電極４ｄと、上電極４ｄを外部に設けられている制御回路に接続するための上リード４ｆと、島状ダミー上電極４ｇとが透明なＩＴＯ（酸化インジウム錫）によって形成されている。液晶下基板２は、下基板ベース２ａの上面に液晶駆動ＩＣ８が固着されている。また、下基板ベース２ａの上面には、下電極２ｅと、下電極２ｅを液晶駆動ＩＣ８と接続するための下電極リード２ｇと、島状ダミー下電極２ｈとが透明なＩＴＯ（酸化インジウム錫）によって形成されている。
【００３２】
図４、図５、および図６を用いて、図１に示す液晶表示装置の構成について更に説明する。液晶パネル１は、液晶上基板４、液晶下基板２、およびシール部材３によって構成され、液晶上基板４、液晶下基板２、およびシール部材３によって囲まれた間隙の液晶セル部５には液晶７が充填されている。シール部材３は異方性導電性接着材によって形成され、液晶上基板４と液晶下基板２との間の対向位置のみに導電機能を有するが、該方向に直交する方向には導電機能を有しない。
【００３３】
バックライトユニット９は、第１面に照射窓部９ｂが形成されたハウジング９ａに、透明な材質により形成された導光部材９ｄと、導光部材９ｄの側面に電球、ＬＥＤ等の点状あるいは蛍光管等の線状の光源９ｃが配設されている。導光部材９ｄの前記第１面の裏面になる第２面の側の面には、凹凸状に形成された光拡散層９ｅが形成されている。即ち、光源９ｃから発射された光は、導光部材９ｄの内部を通り、導光部材９ｄの表面および光拡散層９ｅで反射されて、Ｌ１、Ｌ２、Ｌ３のように液晶パネル１を照明するように構成されている。
【００３４】
なお、本実施例では、導光部材９ｄの側面に点状あるいは線状の光源９ｃを配設してバックライトユニット９を構成しているが、点状あるいは線状の光源９ｃを、導光部材９ｄの背面に配設してバックライトユニットを構成しても同様の効果を得ることができる。
【００３５】
図７、図８、および図９を用いて、図１に示す液晶パネル１の構成について説明する。下基板ベース２ａの上面にはＣｒを蒸着して形成された半透明の反射膜２ｂが形成され、反射膜２ｂには、バックライトユニット９から照明される光を通しやすくするための複数の透光孔２ｃが形成されている。反射膜２ｂの上には絶縁膜２ｄを介して下電極２ｅが形成されている。下電極２ｅは、図９に示すように複数条の縞状に形成されている。なお、反射膜２ｂも下電極２ｅと同様に複数条の縞状に形成されている。更に、下基板ベース２ａの上面および下電極２ｅの上面のすべてを覆うように下配向膜２ｆが形成されている。
【００３６】
上基板ベース４ａの下面にはカラーフィルタ４ｂが形成され、カラーフィルタ４ｂの下には、図９に示すように複数条の縞状の上電極４ｄが、下電極２ｅに直交するように形成されている。上基板ベース４ａの下面および上電極４ｄの下面のすべてを覆うように上配向膜４ｅが形成されている。ここで、上電極４ｄと下電極２ｅとが交わることにより画素１ｂを構成している。
【００３７】
図９、図１０、図１１、図１２、および図１３を用いて、図１に示す液晶パネル１の構成について更に説明する。画素１ｂの内の半透明の反射膜２ｂに形成された透光孔２ｃは、光源９ｃに最も近く照度が大きい場所にある個体の面積が最も小さく、光源９ｃに最も遠く照度が小さい場所にある個体の面積が最も大きく形成され、各個の面積は、光源９ｃに最も近く照度が大きい場所から光源９ｃに最も遠く照度が小さい場所まで徐々に大きくして、いわゆるグラデーション状に変化させている。
この画素１ｂの内の一部に形成された透光孔２ｃは、図１１に示した位置である画素１ｂのほぼ中央に配設するのが画面全体に対する透光量の量が把握しやすいので好ましい。
一方透光孔２ｃを画素１ｂの中央でなくとも良く、画素１ｂの端に位置していても良く、さらには、画素１ｂからはみ出しても良い。
また図１０，１１では、透光孔２ｃを画素１ｂに対応して１つ設けているが、画素１ｂ無いに複数個を設けていても良い。
また図１０，１１では、透光孔２ｃの形状を正方形としているが、長方形、円、楕円などの形状に適宜用いるのがよい。
【００３８】
一般的に、透光孔２ｃの面積は、光源９ｃに最も近い場所にある個体を最も小さく、光源９ｃに最も遠い場所にある個体を最も大きく形成する。然るに、光源９ｃから照射される光の照度は、光源９ｃからの距離だけで決まるものではなく、光の照射方向に直交する方向の位置によっても変動する。例えば、光源９ｃが線状である場合には、その両端部では光量が中央部と比較して小さくなっており、線状の光源９ｃの両端部では、光源９ｃからの距離が中央部と同じであっても照度は小さくなる。従って、透光孔２ｃの面積は、光の照射方向に直交する方向にも変化させて、照度が最も大きい場所にある個体の面積を最も小さくし、照度が最も小さい場所にある個体の面積を最も大きく形成することにより均一な明るさの表示面１ａを得ることができる。
【００３９】
図１０（ａ）は、図９に示す矢視ｅの状態を示し、図１０（ｂ）は、図９に示す矢視ｄと矢視ｆの状態を示している。また、図１０（ｃ）は、図９に示す矢視ｈの状態を示し、図１０（ｄ）は、図９に示す矢視ｇと矢視ｉの状態を示している。このように、図１０（ａ）に示す光源９ｃに最も近く照度が大きい場所の矢視ｅにある透光孔２ｃはその面積が最も小さく、図１０（ｄ）に示す光源９ｃに最も遠く照度が小さい場所の矢視ｇ、および矢視ｉにある透光孔２ｃはその面積が最も大きく形成されている。
【００４０】
図１０（ａ）に示す矢視ｊを拡大した状態を図１１に示す。矢印ｊは、上電極４ｄと下電極２ｅとが交わって構成された画素１ｂを示し、画素１ｂの領域内の反射膜２ｂには透光孔２ｃが形成されている。上電極４ｄと下電極２ｅとの他の交点も同様に画素１ｂを構成している。このように、光源９ｃに最も近く照度が大きい場所にある透光孔２ｃの面積を最も小さく、光源９ｃに最も遠く照度が小さい場所にある透光孔２ｃの面積を最も大きく、グラデーション状に変化させて形成することにより、表示面１ａの全面を均一な照度で照明することができるように構成されている。
【００４１】
なお、本実施例では、半透明の反射膜２ｂに形成された透光孔２ｃの面積を、光源９ｃに最も近く照度が大きい場所から光源９ｃに最も遠く照度が小さい場所までグラデーション状に変化させているが、透光孔２ｃの面積をいくつかのグループに分けて順次変化させてもほぼ同様の効果が得られる。
【００４２】
図１１に示すように、上電極４ｄに対して直交するように下電極２ｅが形成され、下電極２ｅと上電極４ｄとが交差して、図１１において濃く塗りつぶして画いたように画素１ｂが構成され、画素１ｂの中央部に位置する反射膜２ｂには透光孔２ｃが形成されている。透光孔２ｃの面積は、前述したように、光源９ｃに最も近く照度が大きい場所から最も遠く照度が小さい場所までをグラデーション状に大きくなるように形成することにより、
液晶パネル１を外光照明を用いて照明することができると共に、液晶パネル１の面照明装置として、内蔵光源として点光源あるいは線光源を有するバックライトユニット９を採用した場合において、表示面１ａの全面を均一な照度で照明することができるように構成されている。
【００４３】
なお、画素１ｂの面積に対する透光孔２ｃの面積の実用的な比率即ちＨＩＭ（Ｈｏｌｅ
ｉｎ  Ｍｉｒｏｒ）開口率は２５％から５０％である。開口率５０％のときの透過率を１００としたときの、開口率が２５％から５０％までの相対透過率を図１２に示す。図１２に示すように、ＨＩＭ開口率（ｘ）に対する相対透過率（ｙ）は、少なくともＨＩＭ開口率が２５％から５０％までの範囲においてはｙ＝２ｘのリニアな関係にある。なお、外光によって照明するときには、反射膜２ｂによって外光を反射して液晶パネル１を照明する。
【実施例２】
【００４４】
以下発明の実施の形態を実施例２について図面を参照して説明する。図１３は、図７と同じ状態を示す実施例２における断面詳細図である。図１４は、図１３に示す矢視ｋの状態を拡大して示す断面詳細図である。
【００４５】
図１３、および図１４を用いて、実施例２における液晶パネル１０１の構成について説明する。下基板ベース１０２ａの上面には複数の透光孔１０２ｃを持った反射膜１０２ｂが形成され、反射膜１０２ｂの上には絶縁膜１０２ｄを介して下電極１０２ｅが形成されている。なお、本実施例では、導電性のＡｌを蒸着して反射膜１０２ｂを形成しているので絶縁膜１０２ｄを介して下電極１０２ｅを形成しているが、反射膜１０２ｂを導電性でない材料で形成した場合には絶縁膜１０２ｄは不要であり、反射膜１０２ｂの表面にじかに下電極１０２ｅを形成してもよい。
【００４６】
反射膜１０２ｂに形成された透光孔１０２ｃは、図示せぬ光源に最も近い場所にある個体の面積が最も小さく、該光源に最も遠い場所にある個体の面積が最も大きく形成され、各個の面積は、前記光源に最も近い場所から該光源に最も遠い場所までグラデーション状に変化している。なお、画素１ｂの面積に対する透光孔１０２ｃの面積の実用的な比率即ちＨＩＭ（Ｈｏｌｅ  ｉｎ  Ｍｉｒｏｒ）開口率は前述した実施例１と同様である。下電極１０２ｅは、前述した実施例１と同様に複数条の縞状に形成されている。然るに、反射膜１０２ｂは前述した実施例１とは異なり、前述した複数の透光孔１０２ｃを除く下基板ベース１０２ａの全面を覆うように形成されている。更に、下基板ベース１０２ａの上面および透光孔１０２ｃの上面のすべてを覆うように下配向膜１０２ｆが形成されている。
【００４７】
なお、本実施例では、半透明の反射膜１０２ｂに形成された透光孔１０２ｃの面積を、光源１０９ｃに最も近く照度が大きい場所から光源１０９ｃに最も遠く照度が小さい場所までグラデーション状に変化させているが、透光孔１０２ｃの面積をいくつかのグループに分けて順次変化させてもほぼ同様の効果が得られる。
【００４８】
上基板ベース１０４ａの下面にはカラーフィルタ１０４ｂが形成され、カラーフィルタ１０４ｂの下には、図１４に示すように複数条の縞状の上電極１０４ｄが、下電極１０２ｅに直交するように形成されている。上基板ベース１０４ａの下面および上電極１０４ｄの下面のすべてを覆うように上配向膜１０４ｅが形成されている。このような構成により、前述した実施例１と同様にして、液晶パネル１０１を外光を用いて照明することができると共に、液晶パネル１０１の面照明装置として、内蔵光源として点光源あるいは線光源を有するバックライトユニット１０９を採用した場合において、表示面１ａの全面を均一な照度で照明することができる。実施例２は、反射膜１０２ｂを複数の透光孔１０２ｃを除く下基板ベース１０２ａの上面を覆うように形成するので、実施例１のように縞状に形
成する場合と比較して加工が容易となっている。
【００４９】
以上説明したように本実施例では、縞状の電極の交差させて画素を構成するパッシブ方式の液晶パネルについて説明したが、本発明は、ＴＦＴ、ＭＩＭ、ＴＤＦ等の非線形素子を用いたアクティブ方式の液晶パネルに適用した場合においても同様の効果を得ることができる。
【図面の簡単な説明】
【００５０】
【図１】本発明に係る実施例１における液晶表示装置を示す斜視図である。
【図２】図１に示す液晶表示装置の液晶パネル１とバックライトユニット９とを離間させた状態を示す斜視図である。
【図３】図２に示す液晶下基板２から液晶上基板４を取り外した状態を示す斜視図である。
【図４】図１に示す断面ＡＡの状態を示す断面図である。
【図５】図１に示す断面ＢＢの状態を示す断面図である。
【図６】図４に示す矢視ａの状態を拡大して示す詳細断面図である。
【図７】図５に示す矢視ｂの状態を拡大して示す詳細断面図である。
【図８】図７に示す矢視ｃの状態を拡大して示す詳細断面図である。
【図９】図３に示す矢視ＣＣの状態を示す平面図である。
【図１０】図９に示す各矢視部を拡大してしめす部分詳細図で、（ａ）は矢視ｄと矢視ｆ、（ｂ）は矢視ｅ、（ｃ）は矢視ｇと矢視ｉ、（ｄ）は矢視ｈの状態を示す。
【図１１】図１０（ａ）に示す矢視ｊの状態を拡大して示す部分詳細図である。
【図１２】ＨＩＭ開口率と相対透過率との関係を示すグラフである。
【図１３】実施例２における図７と同じ状態を示す断面詳細図である。
【図１４】図１１に示す矢視ｊの状態を拡大して示す断面詳細図である。
【図１５】従来例１の面照明装置を示す主要断面図、
【図１６】図１５における光拡散層を示す平面図である。
【図１７】従来例２の内部光源を用いた際の光の進行状態を示す説明図、
【図１８】従来例２の外部光源を用いた際の光の進行状態を示す説明図である。
【符号の説明】
【００５１】
１  液晶パネル
１ａ  表示面
１ｂ  画素
２  液晶下基板
２ａ  下基板ベース
２ｂ  反射膜
２ｃ  透光孔
２ｄ  絶縁膜
２ｅ  下電極
２ｆ  下配向膜
２ｇ  下電極リード
２ｈ  島状ダミー下電極
３  シール部材
４  液晶上基板
４ａ  上基板ベース
４ｂ  カラーフィルター
４ｃ  ブラックフレーム
４ｄ  上電極
４ｅ  上配向膜
４ｆ  上リード
４ｇ  島状ダミー上電極
５  液晶セル部
７  液晶
８  液晶駆動ＩＣ
９  バックライトユニット
９ａ  ハウジング
９ｂ  照射窓部
９ｃ  光源
９ｄ  導光部材
９ｅ  光拡散層
【図１】
2005091532.tif 000003
【図２】
2005091532.tif 000004
【図３】
2005091532.tif 000005
【図４】
2005091532.tif 000006
【図５】
2005091532.tif 000007
【図６】
2005091532.tif 000008
【図７】
2005091532.tif 000009
【図８】
2005091532.tif 000010
【図９】
2005091532.tif 000011
【図１０】
2005091532.tif 000012
【図１１】
2005091532.tif 000013
【図１２】
2005091532.tif 000014
【図１３】
2005091532.tif 000015
【図１４】
2005091532.tif 000016
【図１５】
2005091532.tif 000017
【図１６】
2005091532.tif 000018
【図１７】
2005091532.tif 000019
【図１８】
2005091532.tif 000020